(57)【特許請求の範囲】
【請求項１】
データ管理端末と複数の指令卓とを備え、
前記複数の指令卓の各々は、
指示に基づき各種情報を表示する表示部と、
メモ情報履歴の送信の要求に応じて供給された前記メモ情報履歴であって、自身の前記指令卓に対応し、他の指令卓により作成され、参照を許可されたメモデータの情報（メモ情報）を含む前記メモ情報履歴を前記表示部に表示し、前記メモ情報履歴に含まれ、ユーザにより指定されたメモ情報に対応するメモデータを要求し、これを受けて前記表示部に表示するとともに、入力されたメモデータとその共有先を示す情報（共有情報）と当該メモデータの前記メモ情報とを対応づけて格納するよう指示する保存要求を送信する装置制御部とを備え、
前記データ管理端末は、
前記指令卓から供給された前記メモデータ、前記メモ情報、及び前記共有情報を対応付けて前記指令卓ごとに格納する格納部と、
受信した前記メモ情報履歴の要求の送信元である前記指令卓に対応する前記メモ情報の履歴を、前記格納部に格納された情報から作成して当該指令卓に送信し、これに対して要求された前記メモデータを前記格納部から検索して当該指令卓に送信するとともに、受信した前記メモデータをこのメモデータの保存要求の送信元である前記指令卓、前記メモ情報、及び前記共有情報に対応付けて前記格納部に格納する端末制御部と、を備えたことを特徴とする指令卓メモ情報共有システム。
【請求項２】
前記装置制御部は、前記表示部に表示した前記メモ情報の履歴のうちのユーザの操作により指定された削除希望のメモ情報とこのメモ情報の削除要求を送信し、この送信に応答して削除完了情報を受けて、前記メモ情報履歴から該メモ情報を削除して前記表示部に表示し、
前記端末制御部は、前記メモ情報の削除要求と削除希望の前記メモ情報を受け、該メモ情報に対応するメモデータを、前記削除要求を送信した前記指令卓と共有しないように前記格納部に設定し、前記削除完了情報を前記指令卓に送信する、
ことを特徴とする請求項１記載の指令卓メモ情報共有システム。
【請求項３】
前記装置制御部は、前記メモデータの保存要求の送信に応答して、メモデータ保存完了情報を受けて、前記メモ情報履歴に該メモデータに対応するメモ情報を加えて前記表示部に表示し、
前記端末制御部は、前記メモデータを前記メモ情報に対応させて前記格納部に格納した後に、前記メモデータ保存完了情報を前記指令卓に送信する、
ことを特徴とする請求項１又は２記載の指令卓メモ情報共有システム。
【請求項４】
所定の通信を制御する通信部を更に有し、
前記指令卓の前記装置制御部は、
所定の操作を検出して前記メモ情報履歴要求を前記通信部を介して送信し、前記メモ情報の履歴を前記通信部を介して受けて前記表示部にメモ情報履歴画面として表示し、
前記メモ情報履歴画面に表示した前記メモ情報の履歴のうちのユーザの操作により指定された閲覧希望の前記メモ情報と、前記メモデータ要求を前記通信部を介して送信し、前記メモデータを前記通信部を介して受けて前記表示部にメモデータ表示画面として表示し、
前記メモ情報履歴画面に表示した前記メモ情報の履歴のうちのユーザの操作により指定された削除希望の前記メモ情報と、前記メモ情報削除要求を前記通信部を介して送信し、前記削除完了情報を前記通信部を介して受けて該メモ情報を削除した前記メモ情報履歴画面に更新して表示し、
前記メモ情報履歴画面に表示されたメモ情報作成を指示する所定のボタンへのユーザの操作を検出してメモデータ作成画面を表示し、前記メモデータ作成画面へのユーザの操作に基づき、前記メモデータを作成し、この作成した前記メモデータと、ユーザの操作により指定された該メモデータの共有先を示す情報と、前記メモデータ保存要求を前記通信部を介して送信し、前記メモデータ保存完了情報を前記通信部を介して受けて、該メモデータに対応する前記メモ情報を加えた前記メモ情報履歴画面に更新して表示する、
ことを特徴とする請求項２記載の指令卓メモ情報共有システム。
【請求項５】
前記表示部の表面に重ねられ、ユーザの表示部への接触を検出する操作部を更に有し、
前記装置制御部は、前記操作部の前記表示部へのユーザの接触の検出に基づきユーザの各種操作を検出することを特徴とする請求項１、２、３又は４記載の指令卓メモ情報共有システム。
【請求項６】
自身の指令卓に対応し、他の前記指令卓により作成され、参照を許可されたメモデータの情報（メモ情報）を含むメモ情報履歴を要求し、
データ管理端末により、前記メモ情報履歴の要求元である前記指令卓に対応する前記メモ情報の履歴を、格納してある情報から作成して該指令卓に送信し、
前記指令卓により、前記データ管理端末から受けて表示した前記メモ情報の履歴に含まれ、ユーザにより指定された前記メモ情報の示すメモデータを要求し、
前記データ管理端末により、前記メモデータを要求した前記指令卓に、該メモデータを検索して送信し、
前記指令卓により、これを受けて表示し、
前記指令卓により、入力されたメモデータと、該メモデータの共有先を示す情報（共有情報）と、該メモデータの前記メモ情報とを対応づけて格納するよう指示する保存要求を送信し、
前記データ管理端末により、受信した前記メモデータをこのメモデータの送信元である前記指令卓、前記メモ情報、及び前記共有情報に対応付けて格納する、
ことを特徴とする指令卓メモ情報共有方法。
【請求項７】
前記指令卓により、前記表示した前記メモ情報の履歴のうちのユーザの操作により指定された削除希望のメモ情報を送信し、
前記データ管理端末により、削除希望の前記メモ情報を受け、該メモ情報に対応する前記メモデータを前記削除要求を送信した前記指令卓と共有しないように設定する、
ことを特徴とする請求項６記載の指令卓メモ情報共有方法。
【請求項８】
前記指令卓により、前記メモデータの保存要求の送信に応答して、メモデータ保存完了情報を受けて、前記メモ情報履歴に該メモデータに対応するメモ情報を加えて表示し、
前記データ管理端末により、前記メモデータを前記メモ情報に対応させて格納した後に、前記メモデータ保存完了情報を前記指令卓に送信する、
ことを特徴とする請求項６又は７記載の指令卓メモ情報共有方法。
【発明の詳細な説明】
【技術分野】
【０００１】
本発明は、指令卓メモ情報共有システム、及び指令卓メモ情報共有方法に関し共有すべき情報の保存ができる指令卓メモ情報共有システム、及び指令卓メモ情報共有方法に関する。
【背景技術】
【０００２】
通常、鉄道会社等で使用する通信指令システムは、統合司令室に設置した指令卓から路線毎の主要駅に設置された指令電話子機に、グループ一斉指令の放送（片方向通話）を行う。すなわち、この通信指令システムは、統合司令室に設置した路線毎の指令卓からの発信情報を指令制御装置が受信した後、アナログ専用線に接続された指令電話子機を一斉に呼び出す。一斉呼出しされた指令電話子機が受話器を持ち上げることにより、指令卓に対して応答通知を行う。指令卓は、路線毎の主要駅に設置された指令電話子機に対して、グループ一斉呼出しを行い、グループの指令電話子機の大部分が応答した時点で、応答したグループの指令電話子機に一斉指令の放送（片方向通話）を実行する。
【０００３】
この通信指令システムの一例が特許文献１に開示されている。特許文献１に開示の一斉指令の再呼出方式は、指令台より指令電話子機に対して一斉指令を行った場合、一斉指令に応答しない指令電話子機や話中の指令電話子機があった際に、応答のなかった指令電話子機の不応答情報をメモリに記憶しておく。そして、指令台から再呼出し指令操作がなされると、メモリに記憶された不応答情報により、応答のなかった指令電話子機を呼び出す。この特許文献１に開示された通信指令システムは、指令卓から路線毎の主要駅に配置された指令電話子機に対して、一斉に呼出しをかけ、一斉指令放送（片方向通話）を実行することができる。しかし、一斉指令放送が片方向通話であるため、一斉指令放送中に、指令電話子機から指令卓や一斉指令放送を受けている他の指令電話子機に緊急の通報ができないといった問題がある。
【０００４】
この問題を解決するために、特許文献２に開示の通信指令システムでは、一斉指令放送時に、指令卓の表示画面上に指令電話子機（指令回線）の状態を、状態に即したカラー表示をするとともに、指令電話子機から指令卓に緊急の要件を双方向通話で通知することを可能にしている。
【先行技術文献】
【特許文献】
【０００５】
【特許文献１】特開平７−７９２８７号公報
【特許文献２】特開２００７−１３４８８２号公報
【発明の概要】
【発明が解決しようとする課題】
【０００６】
上述した特許文献１及び特許文献２に開示の通信指令システムは、統合司令室に設置した指令卓から路線毎の主要駅に設置された指令電話子機に、グループ一斉指令の放送を行うようにして情報を伝達し指令卓と指令電話機との間で情報を共有している。しかし、統合司令室（指令室）内に入ってきた鉄道情報等の情報の指令室内、つまり指令卓間での伝達、共有については言及がない。
【０００７】
一般的に、統合司令室（指令室）内に入ってきた鉄道情報等の情報は、指令卓を操作する指令員同士の口頭による伝言や会話により、互いに伝達して共有しているのが現状である。しかし、指令卓が離れていたり、近くであっても指令員同士が指令卓に着席する時間がずれていたりする場合は、指令員同士で直接伝言することや会話することができない。このようなときには、指令室に入ってきた鉄道情報等の情報を一時的に裏紙や付箋等の紙にメモ書きし、これを対応する指令卓に置く等により指令員同士で情報の共有を行っている。しかし、このような情報共有方法には以下の問題がある。
【０００８】
１．指令室内に入ってきた鉄道情報等の共有すべき情報が保存されない。
【０００９】
２．メモは指令卓に置く等にされるだけなので、メモが紛失した指令卓の指令員には情報が共有されないおそれがある。
【００１０】
本発明の目的は、上記課題を解決して、共有すべき情報の保存ができ、情報が共有されないおそれのない指令卓メモ情報共有システム、及び指令卓メモ情報共有方法を提供することである。
【課題を解決するための手段】
【００１１】
本発明の指令卓メモ情報共有システムは、データ管理端末と複数の指令卓とを備え、  前記複数の指令卓の各々は、指示に基づき各種情報を表示する表示部と、メモ情報履歴の送信の要求に応じて供給された、前記指令卓が参照を許可されたメモデータの情報（メモ情報）の履歴を前記表示部に表示し、前記メモ情報履歴に含まれるメモ情報に対応するメモデータを要求し、これを受けて前記表示部に表示するとともに、入力されたメモデータとその共有先を示す情報（共有情報）と当該メモデータの前記メモ情報との保存要求を送信する装置制御部とを備え、前記データ管理端末は、前記指令卓から供給された前記メモデータ、前記メモ情報、及び前記共有情報を対応付けて前記指令卓ごとに格納する格納部と、受信した前記メモ情報履歴の要求の送信元である前記指令卓に対応する前記メモ情報の履歴を、前記格納部に格納された情報から作成して当該指令卓に送信し、これに対して要求された前記メモデータを前記格納部から検索して当該指令卓に送信するとともに、受信した前記メモデータをこのメモデータの保存要求の送信元である前記指令卓、前記メモ情報、及び前記共有情報に対応付けて前記格納部に格納する端末制御部と、を有するデータ管理端末とを備えている。
【００１２】
本発明の指令卓メモ情報共有方法は、指令卓により、参照を許可されたメモデータの情報（メモ情報）の履歴を要求し、データ管理端末により、前記メモ情報履歴の要求元である前記指令卓に対応する前記メモ情報の履歴を、格納してある情報から作成して該指令卓に送信し、前記指令卓により、前記データ管理端末から受けて表示した前記メモ情報の履歴に含まれる前記メモ情報の示すメモデータを要求し、前記データ管理端末により、前記メモデータを要求した前記指令卓に、該メモデータを検索して送信し、前記指令卓により、これを受けて表示し、前記指令卓により、入力されたメモデータと、該メモデータの共有先を示す情報（共有情報）と、該メモデータの前記メモ情報とを送信し、前記データ管理端末により、受信した前記メモデータをこのメモデータの送信元である前記指令卓、前記メモ情報、及び前記共有情報に対応付けて格納する。
【発明の効果】
【００１３】
本発明によれば、共有すべき情報の保存ができ、情報が共有されないおそれのない指令卓メモ情報共有システム、及び指令卓メモ情報共有方法を提供することができる。
【図面の簡単な説明】
【００１４】
【図１】本発明の第１の実施の形態に係る指令卓メモ情報共有システムの一例を示す図である。
【図２】本発明の第２の実施の形態に係る指令卓メモ情報共有システムの一例を示す図である。
【図３】本発明の第２の実施の形態に係る指令卓メモ情報共有システムの動作の一例を示すフローチャートである。
【図４】メモ情報履歴画面表示サブルーチンの一例を示すフローチャートである。
【図５】メモデータ閲覧サブルーチンの一例を示すフローチャートである。
【図６】削除サブルーチンの一例を示すフローチャートである。
【図７】メモデータ作成サブルーチンの一例を示すフローチャートである。
【図８】指令卓が作成したメモデータの履歴及びこのメモデータの共有先を指定する一例を示す図である。
【図９】メモ情報履歴画面の一例を示す図である。
【図１０】メモデータ表示画面の一例を示す図である。
【図１１】メモデータを作成するためのメモデータ作成画面の一例を示す図である。
【図１２】作成したメモデータの共有先を設定するためのメモデータ共有先設定画面の一例を示す図である。
【発明を実施するための形態】
【００１５】
次に、本発明の実施の形態について図面を参照して説明する。
（第１の実施の形態）
図１は、本発明の第１の実施の形態に係る指令卓メモ情報共有システムの一例を示す図である。
【００１６】
本実施の形態に係る指令卓メモ情報共有システム１は、複数の指令卓２と、データ管理端末３とにより構成される。指令卓２とデータ管理端末３とは例えば通信ネットワークにより接続されている。
【００１７】
指令卓２は、表示部５と、装置制御部４とにより構成される。データ管理端末３は、格納部７と、端末制御部６とにより構成される。
【００１８】
指令卓２の表示部５は、指示に基づき各種情報を表示する。
【００１９】
指令卓２の装置制御部４は、自身の指令卓に対応する、他の指令卓が作成した共有すべきメモデータ（メモ）を含めたメモデータの情報（メモ情報）の履歴を要求し、このメモ情報履歴を受けて表示部５に表示する。メモ情報とは、例えば、メモデータを作成した指令卓２を示す情報（作成指令卓情報）、メモデータの作成日時、メモデータの重要度等を示す。そして、この表示したメモ情報履歴のうちの閲覧希望のメモ情報の示すメモデータを要求し、このメモデータを受けて表示部５に表示する。指令卓２の装置制御部４は、更に、表示部５に表示されたメモデータを作成するための画面へのユーザ（例えば、指令員）の操作に基づきメモデータを作成する。そして、この作成したメモデータの保存要求を、メモデータと、メモデータの共有先を示す情報（共有情報：例えば、このメモデータを共有する指令卓２を示す情報等）と、メモデータのメモ情報とともに送信する。
【００２０】
データ管理端末３の格納部７は、指令卓２が作成したメモデータをこのメモデータのメモ情報に対応させて共有情報と共に指令卓２ごとに格納する。
【００２１】
データ管理端末３の端末制御部６は、メモ情報履歴の要求を受け、この要求をした指令卓２に対応するメモ情報の履歴を格納部７に格納された情報から作成してこの指令卓２に送信する。そして、閲覧希望のメモ情報の示すメモデータの要求を受け、この要求をした指令卓２に、メモ情報に対応するメモデータを格納部７から検索して送信する。更に、メモデータの保存要求と、メモデータと共有情報とメモ情報とを受け、メモデータ保存要求を送信した指令卓２とメモ情報とに対応させて、メモデータを共有情報と共に格納部７に格納する。
【００２２】
ここで、指令卓メモ情報共有システムの動作を説明する。
【００２３】
最初に、指令員は、自身の指令卓２に共有されているメモデータ（メモ）が有るか否かを調べる。すなわち、指令員の指令卓２への所定の操作を、装置制御部４が検出し、自身の指令卓２に対応する、他の指令卓が作成した共有すべきメモデータを含めたメモデータの情報（メモ情報）の履歴を、データ管理端末３へ要求する。
【００２４】
データ管理端末３の端末制御部６は、メモ情報履歴の要求を受け、この要求をした指令卓２に対応するメモ情報の履歴を格納部７に格納された情報から作成してこの指令卓２に送信する。
【００２５】
指令卓２の装置制御部４は、データ管理端末３からメモ情報履歴を受けて表示部５に表示する。これにより、指令員は、自身の指令卓２に共有されているメモデータの有無がわかる。
【００２６】
次に、指令員は、表示部５に表示されたメモ情報の履歴のうちから、所定の操作により、閲覧を希望するメモデータのメモ情報を指定し、この情報に対応するメモデータを閲覧する。すなわち、指令員の指令卓２への所定の操作を、装置制御部４が検出し、指定されたメモ情報の示すメモデータをデータ管理端末３へ要求する。
【００２７】
データ管理端末３の端末制御部６は、装置制御部４からの閲覧希望のメモ情報の示すメモデータの要求を受け、メモ情報の示すメモデータを格納部７から検索して指令卓２に送信する。
【００２８】
指令卓２の装置制御部４は、データ管理端末３からメモ情報の示すメモデータを受けて表示部５に表示する。これにより、指令員は、閲覧希望のメモデータを閲覧することができる。
【００２９】
また、装置制御部４は、表示部５に表示されたメモデータを作成するための画面への、指令員の所定の操作に基づきメモデータを電子データとして作成する。そして、この作成したメモデータの保存要求を、メモデータと、メモデータの共有先を示す情報（共有情報）と、メモデータのメモ情報とともに送信する。
【００３０】
データ管理端末３の格納部７は、指令卓２が作成したメモデータをこのメモデータのメモ情報に対応させて共有情報と共に指令卓２ごとに格納する。
【００３１】
このように、本発明の第１の実施の形態によれば、指令卓は、自身の指令卓に対応する他の指令卓が作成した共有すべきメモデータ（メモ）を含めたメモデータの情報（メモ情報）の履歴をデータ管理端末から受けて表示部に表示する。そして、この表示されたメモ情報の履歴のうちの閲覧希望のメモ情報を指定し、このメモ情報に対応したメモデータをデータ管理端末から受けて表示部に表示する。このため、指令卓に共有すべきメモ情報履歴が表示され、メモ情報を指定することにより、閲覧希望のメモデータを閲覧することができるので、メモデータの情報が共有されないおそれがない。
【００３２】
また、指令卓により作成したメモデータは電子データとして、このメモデータの共有先を示す情報（共有情報）とともに、データ管理端末に保存される。このため、共有すべきメモデータの情報が保存される。
（第２の実施の形態）
図２は、本発明の第２の実施の形態に係る指令卓メモ情報共有システムの一例を示す図である。
【００３３】
本発明の第２の実施の形態は、第１の実施の形態の指令卓メモ情報共有システム１の指令卓２に、通信部９と操作部８を付加して、第１の実施の形態をより具体化したものである。主に第１の実施の形態と相違する部分について説明する。
【００３４】
本指令卓メモ情報共有システム１は、例えば、鉄道会社等の通信指令システムに使用される。指令卓２は、他の指令卓等と連絡するための指令電話機が備えられている。複数の指令卓２は、例えば、鉄道会社等の指令室に設置され、指令卓２の指令電話機から路線毎の主要駅に設置された指令電話子機に、グループ一斉指令の放送等を行う。また、本指令卓メモ情報共有システム１の指令卓２は、メモを閲覧、作成等するための機能を有する。
【００３５】
本実施の形態に係る指令卓メモ情報共有システム１は、複数の指令卓２と、データ管理端末３とにより構成される。
【００３６】
指令卓２は、表示部５と、装置制御部４と、通信部９と、操作部８とにより構成される。データ管理端末３は、格納部７と、端末制御部６とにより構成される。
【００３７】
通信部９は、装置制御部４の指示に基づき所定のデータを送信し、データ管理端末３からの受信データを装置制御部４に送る。
【００３８】
操作部８は、表示部５の例えば表示画面の表面に重ねて設置され、ユーザの（専用ペン、指等による）表示画面への接触をその押圧等により検出する。
【００３９】
装置制御部４は、操作部８の表示部５へのユーザの接触の検出に基づきユーザの各種操作を検出する。
【００４０】
装置制御部４は、表示部５に表示したメモ情報の履歴のうちのユーザの操作により指定された削除希望のメモ情報とこのメモ情報の削除要求をデータ管理端末３に送信する、そして、この送信に応答して削除完了情報をデータ管理端末３から受けて、メモ情報履歴から削除希望したメモ情報を削除して表示部５に表示する。
【００４１】
端末制御部６は、メモ情報の削除要求と削除希望のメモ情報を受け、この受けたメモ情報に対応するメモデータを、削除要求を送信した指令卓２と共有しないように格納部７に設定し、削除完了情報を指令卓２に送信する。
【００４２】
装置制御部４からデータ管理端末３へ送信されたメモデータの保存要求に応答して、データ管理端末３から装置制御部４へメモデータ保存完了情報が返信される。これを受けて、装置制御部４は、保存要求したメモデータに対応するメモ情報をメモ情報履歴に加えて表示部５に表示する。
【００４３】
端末制御部６は、メモデータ保存要求、メモ情報とともに指令卓２から受けたメモデータをメモ情報に対応させて格納部７に格納した後に、メモデータ保存完了情報を指令卓２に送信する。
【００４４】
装置制御部４は、操作部８を介してユーザの所定の操作を検出してメモ情報履歴要求を通信部９を介して送信し、メモ情報の履歴を通信部９を介して受けて表示部５にメモ情報履歴画面として表示する。そして、メモ情報履歴画面に表示したメモ情報の履歴のうちのユーザの操作により指定された閲覧希望のメモ情報と、メモデータ要求を通信部９を介して送信し、メモデータを通信部９を介して受けて表示部５にメモデータ表示画面として表示する。また、メモ情報履歴画面に表示したメモ情報の履歴のうちのユーザの操作により指定された削除希望のメモ情報と、メモ情報削除要求を通信部９を介して送信し、削除完了情報を通信部９を介して受けて削除を希望したメモ情報を削除してメモ情報履歴画面を更新して表示する。
【００４５】
装置制御部４は、更に、メモ情報履歴画面に表示されたメモ情報作成を指示する所定のボタンへのユーザの操作を検出してメモデータ作成画面を表示し、メモデータ作成画面へのユーザの操作に基づき、メモデータを作成する。そして、この作成したメモデータと、このメモデータの、ユーザの操作により指定された共有先を示す情報と、メモデータ保存要求を通信部９を介して送信する。そして、メモデータ保存完了情報を通信部９を介して受けて、作成したメモデータに対応するメモ情報を加えたメモ情報履歴画面に更新して表示する。
【００４６】
次に、本実施の形態の指令卓メモ情報共有システムの動作を、図３、図４、図５、図６、図７、図８、図９、図１０、図１１及び図１２を使用して説明する。
【００４７】
図３は、本発明の第２の実施の形態に係る指令卓メモ情報共有システムの動作の一例を示すフローチャートである。
【００４８】
図４は、メモ情報履歴画面表示サブルーチンの一例を示すフローチャートである。
【００４９】
図５は、メモデータ閲覧サブルーチンの一例を示すフローチャートである。
【００５０】
図６は、削除サブルーチンの一例を示すフローチャートである。
【００５１】
図７は、メモデータ作成サブルーチンの一例を示すフローチャートである。
【００５２】
図８は、指令卓が作成したメモデータの履歴及びこのメモデータの共有先を指定する一例を示す図である。この図は、例えば指令卓Ａについての表であり、指令卓２ごとに同様の表が対応して作成され、格納部７に格納されている。ここでは指令卓２はＡからＣの３台、他の鉄道会社はＡ、Ｂの２社としている。指令卓Ａが作成したメモデータについての情報が「日時」により順に並べて格納されている。「日時」は、メモデータを作成した日時を示す。「重要度」は、メモデータが重要なのか通常のものなのかを示す。「メモデータ格納アドレス」は、メモデータの格納アドレスを示し、対応するアドレスにメモデータが格納されている。「共有先」は、メモデータの共有先を示し、メモデータの共有先候補（指令卓Ａ、指令卓Ｂ、指令卓Ｃ、他の鉄道会社Ａ、他の鉄道会社Ｂ）のうち、共有先に丸印を付けている。指令卓Ａの表の場合には、共有先の指令卓Ａの部分にはすべて丸印を付け、自身の指令卓２の作成したメモデータは自身に対して常に共有することを示している。したがって、例えば、指令卓Ｂの場合には、共有先の指令卓Ｂの部分にはすべて丸印を付ける。「メモデータ既読フラグ」は、このフラグに対応する行のメモデータが、このフラグに対応する指令卓２ですでに表示されたか否かを示すフラグである。最上行の指令卓Ｂのメモデータ既読フラグがＯＮの場合には、最上行のメモデータの格納アドレスに格納されている指令卓Ａのメモデータが、指令卓Ｂの表示部５にすでに表示されていることを示している。
【００５３】
図９は、メモ情報履歴画面の一例を示す図である。この図は、メモデータを作成した時の情報を示すメモ情報のうち、自身の指令卓２（この図では指令卓Ａ）が共有するメモデータに対応するメモ情報を「日時」により順に時系列に並べている。メモ情報とは、メモデータを作成した日時、メモデータの重要度、メモデータを作成した指令卓２を示す情報（指令卓Ａ、指令卓Ｂ又は指令卓Ｃ）の組である。この図では、一番上の段に、自身の指令卓２（指令卓Ａ）が作成したメモデータに対応するメモ情報があることを示している。また、二番目の段に、指令卓Ｂが作成し指令卓Ａを共有先としたメモデータに対応するメモ情報があり、三番目の段に、指令卓Ｃが作成し、指令卓Ａを共有先としたメモデータに対応するメモ情報があることを示している。この図の下部に配置している「表示」ボタンは、閲覧を希望するメモ情報のメモデータを表示するためのボタンである。「新規」ボタンは、新規にメモデータを作成するためのボタンである。「削除」ボタンは、削除を希望するメモ情報を削除するためのボタンである。「ログアウト」ボタンは、本装置の制御の終了を指定するボタンである。
【００５４】
図１０は、メモデータ表示画面の一例を示す図である。この画面の上側には、メモデータ（メモ）が表示され、この画面の下側に「閉じる」ボタンを配置している。メモデータは、「いつ」、「だれが」、「どこで」、「なにを」、「どうする」及び「方法」についてのメモを記載するエリア、及び、手書き電子メモを記載するエリアに記載される。また、装置制御部４が、操作部８を介して「閉じる」ボタンの接触を検出することによりこの画面を終了する。
【００５５】
図１１は、メモデータを作成するためのメモデータ作成画面の一例を示す図である。この画面の上部には、専用ペン等をペン又は消しゴムに使用することを選択する、「ペン」ボタンと「消しゴム」ボタン、及び、「ペン」ボタンの左の上にペンで書く文字等の太さ、下にペンで書く文字等の色を選択するボタンがそれぞれ表示されている。
【００５６】
この画面の中央部は、メモデータ作成エリアであり、このエリアを使用してメモデータを作成する。エリアＡには、いつ、だれが、どこで、なにを、どうする及びその方法を書き、エリアＢには、伝えたいメモ等を書き込む。
【００５７】
この画面の下部には、作成したメモデータの重要度を指定するボタンである、「重要連絡」ボタン及び「通常連絡」ボタンが表示されている。また、「新規」ボタン、及び「キャンセル」ボタンが表示されている。「新規」ボタンは、作成したメモデータの共有先を設定する図１２で示すメモデータ共有先設定画面を表示するためのボタンである。「キャンセル」ボタンは、メモデータの作成を中止するためのボタンである。
【００５８】
図１２は、作成したメモデータの共有先を設定するためのメモデータ共有先設定画面の一例を示す図である。この画面の上側には、メモデータの共有先候補を示す「指令卓Ａ」、「指令卓Ｂ」、「指令卓Ｃ」、「鉄道会社Ａ」、「鉄道会社Ｂ」が表示される。「鉄道会社Ａ」、「鉄道会社Ｂ」は、自身の鉄道会社でなく他の鉄道会社を示す。これらの共有先候補から共有先にする候補を選択することにより、共有先を指定する。この画面の下部には、「ＯＫ」ボタンと「キャンセル」ボタンが表示される。「ＯＫ」ボタンは、共有先が指定されたメモデータを保存するためのボタンである。「キャンセル」ボタンは、メモデータの作成を中止するためのボタンである。
【００５９】
図３のステップＳ１では、指令員が自身の操作する指令卓２の電源を入れると、指令卓２の装置制御部４は、表示部５にログイン画面（認証画面）を表示する。指令員は、ログイン画面の所定のエリアに指令員のＩＤ（IDentifier）とパスワードを入力し、装置制御部４はこれを認証し、認証できた場合にステップＳ２へ進む。指令員はログイン画面に表示されている数字、アルファベット等を専用ペンや指等で指定（接触）することにより入力する。
【００６０】
図３のステップＳ２では、装置制御部４は、図９で示すメモ情報履歴画面を表示する。
すなわち、次に示す、図４のメモ情報履歴画面表示サブルーチンを呼び、このサブルーチンからこの元のルーチンに戻ってきた場合、ステップＳ３へ進む。
「メモ情報履歴画面表示サブルーチン」
図４のステップＡ１では、装置制御部４は、自身の指令卓２（例えば、指令卓Ａ）に対応する、他の指令卓が作成した共有すべきメモデータを含めたメモデータの情報（メモ情報）の履歴をデータ管理端末３に要求する。すなわち、自身の指令卓２を示す情報（指令卓情報（例えば、指令卓Ａ））と、メモ情報履歴要求を通信部９を介してデータ管理端末３に送信する。
【００６１】
図４のステップＡ２では、データ管理端末３の端末制御部６は、メモ情報履歴要求と指令卓情報を受け、この指令卓情報の示す指令卓２に対応するメモ情報の履歴を格納部７に格納された情報から作成してこの指令卓２に送信する。すなわち、指令卓情報の示す指令卓２が指令卓Ａの場合、図８に示すように、共有先の指令卓Ａの部分に丸印が付いたものに対応するメモデータ既読フラグの情報、及び日時、重要度、及び指令卓２を示す情報（指令卓Ａ）（すなわちメモ情報）を、全て収集する。すなわち、指令卓Ａ、指令卓Ｂ及び指令卓Ｃに対応する全ての表から共有先の指令卓Ａの部分に丸印が付いたメモ情報を収集し、図９で示すメモ情報履歴画面のメモ情報に関するデータを作成する。そして、この作成したメモ情報履歴画面のデータを、指令卓情報の示す指令卓２に送信する。
【００６２】
図４のステップＡ３では、指令卓情報の示す指令卓２の装置制御部４は、メモ情報履歴画面のデータを通信部９を介してデータ管理端末３から受け、各種ボタンを付加して表示部５に、図９で示すメモ情報履歴画面として表示し、このサブルーチンの呼び元へ戻る。このとき、ＯＮのメモデータ既読フラグに対応するメモ情報の背景色を灰色に、ＯＦＦのメモデータ既読フラグに対応するメモ情報の背景色を白色にそれぞれ表示する。これにより、指令員は、自身の指令卓２に共有されているメモデータの有無及びこのメモデータが未読か既読かがわかる。
【００６３】
次に、図３のステップＳ３では、装置制御部４は、操作部８を介して、図９で示すメモ情報履歴画面中のメモ情報への専用ペンや指等での接触（メモ情報の指定）を検出したか否かを調べ、メモ情報への接触を検出した場合には、ステップＳ６へ進む。メモ情報への接触を検出しなかった場合には、ステップＳ４へ進む。
【００６４】
図３のステップＳ４では、装置制御部４は、操作部８を介して、図９で示すメモ情報履歴画面中の新規ボタンへの接触を検出したか否かを調べ、新規ボタンへの接触（「新規」の指定）を検出した場合には、ステップＳ１２へ進む。新規ボタンへの接触を検出しなかった場合には、ステップＳ５へ進む。
【００６５】
図３のステップＳ５では、装置制御部４は、操作部８を介して、図９で示すメモ情報履歴画面中のログアウトボタンへの接触を検出したか否かを調べ、ログアウトボタンへの接触（「ログアウト」の指定）を検出した場合には、ステップＳ１３へ進む。ログアウトボタンへの接触を検出しなかった場合には、ステップＳ２へ戻る。
【００６６】
図３のステップＳ６では、装置制御部４は、図９で示すメモ情報履歴画面の、ステップＳ３で検出したメモ情報の文字を、例えば白抜きにする等にして選択したメモ情報を強調表示する。
【００６７】
図３のステップＳ７では、装置制御部４は、操作部８を介して、図９で示すメモ情報履歴画面中の表示ボタンへの接触を検出したか否かを調べ、表示ボタンへの接触（「表示」の指定）を検出した場合には、ステップＳ１０へ進む。表示ボタンへの接触を検出しなかった場合には、ステップＳ８へ進む。
【００６８】
図３のステップＳ８では、装置制御部４は、操作部８を介して、図９で示すメモ情報履歴画面中の削除ボタンへの接触を検出したか否かを調べ、削除ボタンへの接触（「削除」の指定）を検出した場合には、ステップＳ１１へ進む。削除ボタンへの接触を検出しなかった場合には、ステップＳ９へ進む。
【００６９】
図３のステップＳ９では、装置制御部４は、操作部８を介して、図９で示すメモ情報履歴画面中のログアウトボタンへの接触を検出したか否かを調べ、ログアウトボタンへの接触（「ログアウト」の指定）を検出した場合には、ステップＳ１３へ進む。ログアウトボタンへの接触を検出しなかった場合には、ステップＳ７へ戻る。
【００７０】
図３のステップＳ１０では、装置制御部４は、図１０で示すメモデータ表示画面を表示しメモデータが閲覧できるようにする。すなわち、次に示す、図５のメモデータ閲覧サブルーチンを呼び、このサブルーチンからこの元のルーチンに戻ってきた場合、ステップＳ２へ戻る。
「メモデータ閲覧サブルーチン」
図５のステップＢ１では、装置制御部４は、図３のステップＳ３で検出したメモ情報と、このメモ情報に対応するメモデータの要求と、自身の指令卓２を示す情報（指令卓情報（例えば、指令卓Ａ））を通信部９を介してデータ管理端末３に送信する。
【００７１】
図５のステップＢ２では、データ管理端末３の端末制御部６は、指令卓２から、指令卓情報とメモデータの要求と閲覧希望のメモデータのメモ情報を受け、このメモ情報の示すメモデータを、図８に示すように、格納部７から検索する。すなわち、受信したメモ情報の示す「作成指令卓情報」の示す指令卓２の表について、メモ情報の示す「日時」と「重要度」とに対応するメモデータ格納アドレスの示すアドレスに格納されているメモデータを検索する。このとき、対応する指令卓２の表中の、検索したメモデータに対応した行の、共有先の指令卓２のうちの、端末制御部６が受信した指令卓情報で示す指令卓２のメモデータ既読フラグをＯＮに設定する。これにより、指令卓情報で示す指令卓２が、メモ情報で示すメモデータを表示し、指令員がこのメモをすでに読んだことを示す、既読であることが判定できる。そして、検索したメモデータを受信した指令卓情報の示す指令卓２に送信する。
【００７２】
図５のステップＢ３では、指令卓情報の示す指令卓２の装置制御部４は、データ管理端末３からメモ情報の示すメモデータを通信部９を介して受け、表示部５に図１０に示すようにメモデータ表示画面として表示する。これにより、指令員は、閲覧希望のメモデータを閲覧することができる。そして、装置制御部４は、メモデータ表示画面の下側に配置している「閉じる」ボタンへの接触を操作部８を介して検出してこの画面を終了し、このサブルーチンの呼び元へ戻る。
【００７３】
次に、図３のステップＳ１１では、装置制御部４は、図９で示すメモ情報履歴画面から指定したメモ情報を削除する。すなわち、次に示す、図６の削除サブルーチンを呼び、このサブルーチンからこの元のルーチンに戻ってきた場合、ステップＳ２へ戻る。
「削除サブルーチン」
図６のステップＣ１では、装置制御部４は、図３のステップＳ３で検出したメモ情報と、このメモ情報の削除要求と、自身の指令卓２を示す情報（指令卓情報（例えば、指令卓Ａ））を通信部９を介してデータ管理端末３に送信する。
【００７４】
図６のステップＣ２では、データ管理端末３の端末制御部６は、指令卓２から、この指令卓２の指令卓情報とメモ情報の削除要求と削除希望のメモ情報とを受ける。そして、ステップＣ２で受けたメモ情報中の作成指令卓情報で示す指令卓２についての図８で示す表において、このメモ情報に対応する、作成指令卓で示す指令卓２が作成したメモデータを、ステップＣ２で受けた指令卓情報で示す指令卓２と共有しないように格納部７に設定する。すなわち、メモ情報中の作成指令卓情報で示す指令卓２についての図８で示す表において、指令卓情報で示す指令卓２の共有先の丸印（共有先情報）を削除する。そして、削除完了情報を指令卓情報で示す指令卓２に送信する。
【００７５】
図６のステップＣ３では、装置制御部４は、削除完了情報をデータ管理端末３から受けて、削除を希望したメモ情報を削除してメモ情報履歴画面を更新して表示する。
【００７６】
次に、図３のステップＳ１２では、装置制御部４は、図１１に示すメモデータ作成画面により、メモデータを新規に作成し、図１２に示すメモデータ共有先設定画面でメモデータの共有先を設定する。すなわち、次に示す、図７のメモデータ作成サブルーチンを呼び、このサブルーチンからこの元のルーチンに戻ってきた場合、ステップＳ２へ戻る。
「メモデータ作成サブルーチン」
図７のステップＤ１では、装置制御部４は、図１１に示すメモデータ作成画面を表示部５に表示する。
【００７７】
図７のステップＤ２では、装置制御部４は、ユーザの専用ペン等による接触を検出する操作部８を介して、ユーザの図１１に示すメモデータ作成画面への操作を検出し、メモデータを作成し、重要度を指定する。すなわち、メモデータ作成画面の上部に表示した各種ボタンを選択して、専用ペン等でメモ書きする線や文字の色、太さを選択する。そして、専用ペン等でメモデータ作成画面の中央部のメモデータ作成エリアのエリアＡに、いつ、だれが、どこで、なにを、どうする及びその方法（５Ｗ１Ｈ）を書き、エリアＢに伝えたいメモ等を書き込むことによりメモデータを作成する。そして、メモデータ作成画面の下部の重要度を指定するボタンを選択することにより、作成したメモデータの重要度を「重要連絡」または「通常連絡」に設定する。
【００７８】
図７のステップＤ３では、装置制御部４は、「新規」ボタンが選択されたか否かを調べる。「新規」ボタンが選択されたときには、ステップＤ５へ進む。「新規」ボタンが選択されていないときには、ステップＤ４へ進む。
【００７９】
図７のステップＤ４では、装置制御部４は、「キャンセル」ボタンが選択されたか否かを調べる。「キャンセル」ボタンが選択されたときには、メモデータの作成を中止し、このサブルーチンの呼び元へ戻る。「キャンセル」ボタンが選択されていないときには、ステップＤ２へ戻り、メモデータの作成、及び重要度の指定の処理を続ける。
【００８０】
図７のステップＤ５では、装置制御部４は、図１２で示すメモデータ共有先設定画面を表示部５に表示する。
【００８１】
図７のステップＤ６では、装置制御部４は、ユーザの専用ペン等による接触を検出する操作部８を介して、図１２に示すメモデータ共有先設定画面へのユーザの操作を検出し、作成したメモデータの共有先を指定する。すなわち、メモデータ共有先設定画面の上側に示すメモデータの共有先候補（「指令卓Ａ」、「指令卓Ｂ」、「指令卓Ｃ」、「鉄道会社Ａ」、「鉄道会社Ｂ」）のうちから、共有先を選択（接触）することにより、共有先を指定する。
【００８２】
図７のステップＤ７では、装置制御部４は、「ＯＫ」ボタンが選択されたか否かを調べる。「ＯＫ」ボタンが選択されたときには、ステップＤ９へ進む。「ＯＫ」ボタンが選択されていないときには、ステップＤ８へ進む。
【００８３】
図７のステップＤ８では、装置制御部４は、「キャンセル」ボタンが選択されたか否かを調べる。「キャンセル」ボタンが選択されたときには、メモデータの作成を中止し、このサブルーチンの呼び元へ戻る。「キャンセル」ボタンが選択されていないときには、ステップＤ６へ戻り、作成したメモデータの共有先を指定する処理を続ける。
【００８４】
図７のステップＤ９では、装置制御部４は、作成したメモデータを保存するために、図１１のメモデータ作成エリアで作成したメモデータと、このメモデータのメモ情報（日時、重要度、作成指令卓情報）と、このメモデータの共有先情報を、メモデータ保存要求と共にデータ管理端末３へ送信し、このサブルーチンの呼び元へ戻る。
【００８５】
図７のステップＤ１０では、データ管理端末３は、指令卓２が送信した、メモデータと、このメモデータのメモ情報（日時、重要度、作成指令卓情報）と、このメモデータの共有先情報を、メモデータ保存要求と共に受ける。そして、図８に示すように、メモデータを所定のアドレスに格納し、作成指令卓情報で示す指令卓２の表の最下部に、新たに、日時、重要度、メモデータを格納したアドレス、共有先情報を付加する。これにより、ここで共有先とされた指令卓２は、自身の指令卓２での処理が図３のステップＳ２に戻ってきた際に、このステップＳ２を実行することにより、新規に作成されたメモデータに対応するメモ情報を含めた新たなメモ情報履歴画面を表示することができる。
【００８６】
図７のステップＤ１１では、データ管理端末３は、共有先の他鉄道会社へメモデータと、メモ情報を送信する。
【００８７】
図７のステップＤ１２では、共有先の他鉄道会社の例えばデータ管理端末３は、メモデータと、メモ情報を受け、これを格納、表示、印刷等を行う。これにより、他鉄道会社に対してもメモデータを共有することができる。
【００８８】
次に、図３のステップＳ１３では、本装置の電源をＯＦＦする等のログアウト処理を行い、本処理を終了する。
【００８９】
このように、本発明の第２の実施の形態によれば、第１の実施の形態で得られた効果に付加して、次の効果が得られる。すなわち、指令卓２に電源を入れた際のログイン画面で、指令員の認証を確認し、メモデータを閲覧できる人物を限定している。また、メモデータを作成した際に、このメモデータの共有先を指定してメモデータの閲覧範囲を限定するようにしている。このため、メモデータの内容の漏洩が抑制される。また、メモデータには、単に情報を伝言としてメモするだけでなく、いつ、だれが、どこで、なにを、どうする及びその方法（５Ｗ１Ｈ）を書くようにしている。このため、メモデータを作成した指令員等が後日メモを確認した際にメモの主旨を思い出せないといったおそれがない。
【符号の説明】
【００９０】
１  指令卓メモ情報共有システム
２  指令卓
３  データ管理端末
４  装置制御部
５  表示部
６  端末制御部
７  格納部
８  操作部
９  通信部
【図１】
0006352855.tif 000002
【図２】
0006352855.tif 000003
【図３】
0006352855.tif 000004
【図４】
0006352855.tif 000005
【図５】
0006352855.tif 000006
【図６】
0006352855.tif 000007
【図７】
0006352855.tif 000008
【図８】
0006352855.tif 000009
【図９】
0006352855.tif 000010
【図１０】
0006352855.tif 000011
【図１１】
0006352855.tif 000012
【図１２】
0006352855.tif 000013